(57)【要約】【課題】  送信元メールアドレスの詐称によってもコマンドが不正に実行されることのないセキュリティの強化を図ったネットワーク通信装置および方法を提供する。【解決手段】  クライアント端末１０−１、１０−２、１０−３、１０−４、・・・から所定のコマンドおよび該コマンドに対応するパスワードを電子メールに記述してメールサーバ３０を経由してネットワーク装置２０に送信し、ネットワーク装置２０では、電子メールの送信元メールアドレスとネットワーク装置２０に予め記憶された受信許可メールアドレスとを照合し、一致しない場合は当該電子メールの受付を拒否し、更に、電子メールに記述されたコマンドおよびパスワードとネットワーク装置２０に予め記憶されたコマンドおよび該コマンドに対応するパスワードとを照合し、一致しない場合は、当該コマンドの実行を拒否する。【選択図】  図１
2006155025.tif 000002
【特許請求の範囲】
【請求項１】
クライアント端末からネットワークに接続されたネットワーク装置に対して所定のコマンドを含む電子メールを送信し、前記ネットワーク装置は前記電子メールの受信により該電子メールに含まれるコマンドを実行するネットワーク通信装置において、
前記ネットワーク装置は、
受信を許可する電子メールのメールアドレスを記憶する第１の記憶手段と、
前記電子メールに含まれるコマンドの実行を許可するパスワードを該コマンドに対応して記憶する第２の記憶手段と、
受信した電子メールから該電子メールの送信元メールアドレスを抽出する第１の抽出手段と、
受信した電子メールから該電子メールに含まれるコマンドおよびパスワードを抽出する第２の抽出手段と、
前記第１の抽出手段で抽出した送信元メールアドレスが前記第１の記憶手段に記憶されているメールアドレスと一致しない場合は、当該電子メールの受付を拒否する受付拒否手段と、
前記第２の抽出手段で抽出したコマンドおよびパスワードが前記第２の記憶手段に記憶されているコマンドおよび該コマンドに対応するパスワードと一致しない場合は、当該コマンドの実行を拒否するコマンド実行拒否手段と
を具備することを特徴とするネットワーク通信装置。
【請求項２】
前記クライアント端末は、
前記コマンドおよび前記パスワードを前記電子メールの本文に記述して前記ネットワーク装置に送信する
ことを特徴とする請求項１記載のネットワーク通信装置。
【請求項３】
クライアント端末からネットワークに接続されたネットワーク装置に対して所定のコマンドを含む電子メールを送信し、前記ネットワーク装置は前記電子メールの受信により該電子メールに含まれるコマンドを実行するネットワーク通信方法において、
前記クライアント端末は、所定のコマンドおよび該コマンドに対応するパスワードを前記電子メールに記述して前記ネットワーク装置に送信し、
前記ネットワーク装置は、受信した電子メールから該電子メールの送信元メールアドレスを抽出するとともに、
該電子メールに記述された前記コマンドおよび前記パスワードを抽出し、
該抽出した送信元メールアドレスが該ネットワーク装置に予め記憶されたメールアドレスと一致しない場合は当該電子メールの受付を拒否し、
該抽出した前記コマンドおよび前記パスワードが該ネットワーク装置に予め記憶されたコマンドおよび該コマンドに対応するパスワードと一致しない場合は、当該コマンドの実行を拒否する
ことを特徴とするネットワーク通信方法。
【請求項４】
前記クライアント端末は、
前記コマンドおよび前記パスワードを前記電子メールの本文に記述して前記ネットワーク装置に送信する
ことを特徴とする請求項３記載のネットワーク通信方法。
【発明の詳細な説明】
【技術分野】
【０００１】
この発明は、クライアント端末からネットワークに接続されたネットワーク装置に対して所定のコマンドを含む電子メールを送信し、ネットワーク装置は電子メールの受信により該電子メールに含まれるコマンドを実行するネットワーク通信装置および方法に関し、特に、ネットワーク装置におけるコマンド実行に関するセキュリティの強化を図ったネットワーク通信装置および方法に関する。
【背景技術】
【０００２】
最近、プリンタ等の装置を複数のクライアント端末で共有するために、プリンタ等をネットワークに接続してネットワーク装置として構成する場合が多い。
【０００３】
この場合、このネットワーク装置は、クライアント端末から離れて設置される場合が多いので、このネットワーク装置の各種設定の変更等に際しては、その都度ユーザがネットワーク装置場所まで出向いて各種設定の変更等を行う必要がある。
【０００４】
この問題を解決するために、従来、特許文献１に開示されているように、クライアント端末からネットワーク装置であるプリンタに対してコマンドを含む電子メールを送信し、ネットワーク装置ではこの電子メールを受信するとこの電子メールに含まれるコマンドを実行することによりプリンタの各種設定の変更等を遠隔操作できるようにした構成が知られている。
【０００５】
そして、この特許文献１においては、上記電子メールを用いたプリンタの各種設定の変更等のセキュリティを確保するために、プリンタ側に受信を許可するメールアドレスを予め記憶し、プリンタの各種設定の変更等のコマンドを含む電子メールの受信に際しては、該電子メールの送信元メールアドレスが上記予め記憶したメールアドレスと一致しない場合は当該コマンドの実行を拒否する構成が記載されている。
【特許文献１】特開平１０−２６９０３８号公報
【発明の開示】
【発明が解決しようとする課題】
【０００６】
しかしながら、特許文献１に開示された技術においては、送信元メールアドレスの詐称により悪意あるユーザによってコマンドが不正に実行されてしまうというセキュリティ上の脆弱性がある。
【０００７】
ここで、この発明は、送信元メールアドレスの詐称によってもコマンドが不正に実行されることのないセキュリティの強化を図ったネットワーク通信装置および方法を提供することを目的とする。
【課題を解決するための手段】
【０００８】
上記目的を達成するため、請求項１の発明は、クライアント端末からネットワークに接続されたネットワーク装置に対して所定のコマンドを含む電子メールを送信し、前記ネットワーク装置は前記電子メールの受信により該電子メールに含まれるコマンドを実行するネットワーク通信装置において、前記ネットワーク装置は、受信を許可する電子メールのメールアドレスを記憶する第１の記憶手段と、前記電子メールに含まれるコマンドの実行を許可するパスワードを該コマンドに対応して記憶する第２の記憶手段と、受信した電子メールから該電子メールの送信元メールアドレスを抽出する第１の抽出手段と、受信した電子メールから該電子メールに含まれるコマンドおよびパスワードを抽出する第２の抽出手段と、前記第１の抽出手段で抽出した送信元メールアドレスが前記第１の記憶手段に記憶されているメールアドレスと一致しない場合は、当該電子メールの受付を拒否する受付拒否手段と、前記第２の抽出手段で抽出したコマンドおよびパスワードが前記第２の記憶手段に記憶されているコマンドおよび該コマンドに対応するパスワードと一致しない場合は、当該コマンドの実行を拒否するコマンド実行拒否手段とを具備することを特徴とする。
【０００９】
また、請求項２の発明は、請求項１の発明において、前記クライアント端末は、前記コマンドおよび前記パスワードを前記電子メールの本文に記述して前記ネットワーク装置に送信することを特徴とする。
【００１０】
また、請求項３の発明は、クライアント端末からネットワークに接続されたネットワーク装置に対して所定のコマンドを含む電子メールを送信し、前記ネットワーク装置は前記電子メールの受信により該電子メールに含まれるコマンドを実行するネットワーク通信方法において、前記クライアント端末は、所定のコマンドおよび該コマンドに対応するパスワードを前記電子メールに記述して前記ネットワーク装置に送信し、前記ネットワーク装置は、受信した電子メールから該電子メールの送信元メールアドレスを抽出するとともに、該電子メールに記述された前記コマンドおよび前記パスワードを抽出し、該抽出した送信元メールアドレスが該ネットワーク装置に予め記憶されたメールアドレスと一致しない場合は当該電子メールの受付を拒否し、該抽出した前記コマンドおよび前記パスワードが該ネットワーク装置に予め記憶されたコマンドおよび該コマンドに対応するパスワードと一致しない場合は、当該コマンドの実行を拒否することを特徴とする。
【００１１】
また、請求項４の発明は、請求項３の発明において、前記クライアント端末は、前記コマンドおよび前記パスワードを前記電子メールの本文に記述して前記ネットワーク装置に送信することを特徴とする。
【発明の効果】
【００１２】
この発明によれば、クライアント端末から所定のコマンドおよび該コマンドに対応するパスワードを電子メールに記述してネットワーク装置に送信し、ネットワーク装置側では、電子メールの送信元メールアドレスが該ネットワーク装置に予め記憶されたメールアドレスと一致しない場合は当該電子メールの受付を拒否し、コマンドおよびパスワードが該ネットワーク装置に予め記憶されたコマンドおよび該コマンドに対応するパスワードと一致しない場合は、当該コマンドの実行を拒否するように構成したので、コマンド実行に関してメールアドレスとパスワードとで二重にセキュリテイが保護され、セキュリティの強化が図れるという効果を奏する。
【発明を実施するための最良の形態】
【００１３】
以下、この発明に係るネットワーク通信装置および方法を添付図面を参照して詳細に説明する。
【００１４】
図１は、この発明に係るネットワーク通信装置が適用されるネットワークシステムの一例を示すブロック図である。
【００１５】
図１において、このネットワークシステムは、ネットワーク１００に、複数のクライアント端末（クライアント１、クライアント２、クライアント３、クライアント４、・・・）１０−１、１０−２、１０−３、１０−４、・・・、ネットワーク装置２０、メールサーバ３０を接続して構成されている。
【００１６】
ここで、ネットワーク装置２０とは、ネットワーク１００を介して通信を行う通信機能を有する装置で、例えば、ネットワークプリンタ、ネットワークスキャナ、ネットワーク複合機等が含まれる。
【００１７】
この発明においては、ネットワーク装置２０からの情報取得、ネットワーク装置２０に対する各種設定、印刷指示等をクライアント端末１０−１、１０−２、１０−３、１０−４、・・・からの電子メールに記述したコマンドで行うことができるように構成されている。
【００１８】
メールサーバ３０は、クライアント端末１０−１、１０−２、１０−３、１０−４、・・・からネットワーク装置２０に送られる電子メールを制御管理するものである。
【００１９】
さて、この発明は、上記構成において、ネットワーク装置２０におけるコマンド実行に関するセキュリティの強化を図ったもので、クライアント端末１０−１、１０−２、１０−３、１０−４、・・・から所定のコマンドおよび該コマンドに対応するパスワードを電子メールに記述してメールサーバ３０を経由してネットワーク装置２０に送信し、ネットワーク装置２０では、電子メールの送信元メールアドレスとネットワーク装置２０に予め記憶された受信許可メールアドレスとを照合し、一致しない場合は当該電子メールの受付を拒否し、更に、電子メールに記述されたコマンドおよびパスワードとネットワーク装置２０に予め記憶されたコマンドおよび該コマンドに対応するパスワードとを照合し、一致しない場合は、当該コマンドの実行を拒否するように構成される。
【００２０】
このような構成によると、コマンド実行に関してメールアドレスとパスワードとで二重にセキュリテイが保護されるので、セキュリティの強化を図ることができる。
【００２１】
図２は、図１に示したネットワーク装置２０のセキュリティ保護に関する構成を示すブロック図である。
【００２２】
図２に示す構成においては、メール受信部２０１、メール解析部２０２、受付許可メールアドレス記憶部２０３、パスワード記憶部２０４、メールアドレス照合部２０５、コマンドおよびパスワード照合部２０６、メール破棄処理部２０７、コマンド実行部２０８を具備して構成される。
【００２３】
ここで、メール受信部２０１は、クライアント端末１０−１、１０−２、１０−３、１０−４、・・・からの所定のコマンドおよび該コマンドに対応するパスワードが記述された電子メールをメールサーバ３０を経由して受信する。
【００２４】
メール解析部２０２は、メール受信部２０１で受信した電子メールを解析して該電子メールの送信元メールアドレスおよび該電子メールに記述されたコマンドおよびパスワードを抽出する。
【００２５】
コマンドおよびパスワードが記述された電子メールの一例を図３に示す。
【００２６】
図３において、図３（ａ）に示す電子メールは、ヘッダ３００と本文３０１からなり、ヘッダ３００には、宛先がネットワーク装置２０であることを示す「To:device@aaa.net」の記載および送信元がクライアント端末（クライアント３）１０−３であることを示す「From:client3@aaa.net」の記載等がある。 
また、本文には、パスワードとして「pass2」が記述され、コマンドとして「#getIP」が記述されている。
【００２７】
また、図３（ｂ）は他の電子メールの例を示すもので、この電子メールも、ヘッダ３１０と本文３１１からなり、ヘッダ３１０には、宛先がネットワーク装置２０であることを示す「To:device@aaa.net」の記載および送信元がクライアント端末（クライアント１）１０−１であることを示す「From:client1@aaa.net」の記載等がある。 
また、本文には、パスワードとして「pass3」が記述され、コマンドとして「#reset」が記述されている。
【００２８】
メール解析部２０２では、図３に示したような受信電子メールの構成を元に、送信元アドレスを抽出するとともに、この電子メールに記述されたコマンドおよびパスワードを抽出する。
【００２９】
受付許可メールアドレス記憶部２０３は、このネットワーク装置２０で受付を許可する電子メールのメールアドレスを記憶する。
【００３０】
この受付許可メールアドレス記憶部２０３に記憶されるメールアドレスの一例を図４（ａ）に示す。
【００３１】
図４（ａ）においては、「クライアント１」のメールアドレス「client1@aaa.net」、「クライアント２」のメールアドレス「client2@aaa.net」、「クライアント３」のメールアドレス「client３@aaa.net」、・・・が記憶されている。
【００３２】
パスワード記憶部２０４は、このネットワーク装置２０に対するコマンドとこのコマンドの実行を許可するパスワードが記憶されている。
【００３３】
このパスワード記憶部２０４に記憶されるコマンドとこのコマンドの実行を許可するパスワードの一例を図４（ｂ）に示す。
【００３４】
図４（ｂ）においては、「コマンド１」が「#set」であり、このコマンドの実行を許可するパスワードが「pass1」であり、「コマンド２」が「#get」であり、このコマンドの実行を許可するパスワードが「pass2」であり、「コマンド３」が「#reset」であり、このコマンドの実行を許可するパスワードが「pass3」であり、・・・「コマンドＮ」が「#cmd」であり、このコマンドの実行を許可するパスワードが「passX」であることが記憶されている。
【００３５】
メールアドレス照合部２０５は、メール解析部２０２の解析により抽出された受信電子メールの送信元メールアドレスと受付許可メールアドレス記憶部２０３に記憶されているメールアドレスとを照合し、受信電子メールの送信元メールアドレスが受付許可メールアドレス記憶部２０３に記憶されているメールアドレスの中のいずれかとも一致しないと、この電子メールの受信は拒否するとして、メール破棄処理部２０７にこの電子メールを破棄する処理を指示する。
【００３６】
コマンドおよびパスワード照合部２０６は、メール解析部２０２の解析により抽出されたコマンドとパスワードをパスワード記憶部２０４に記憶されているコマンドとパスワードとを照合する。
【００３７】
この照合により、受信電子メールに記述されたコマンドと一致するコマンドがパスワード記憶部２０４に記憶されていない場合若しくは、受信電子メールに記述されたコマンドと一致するコマンドがパスワード記憶部２０４に記憶されているが対応するパスワードが一致しない場合は、このコマンドの実行を拒否するとして、メール破棄処理部２０７にこの電子メールを破棄する処理を指示する。
【００３８】
しかし、受信電子メールに記述されたコマンドと一致するコマンドがパスワード記憶部２０４に記憶されており、かつ、対応するパスワードが一致する場合は、このコマンドの実行をコマンド実行部２０８に指示する。
【００３９】
メール破棄処理部２０７は、メールアドレス照合部２０５、コマンドおよびパスワード照合部２０６からメール破棄の指示を受けると、該当電子メールを破棄する。
【００４０】
また、コマンド実行部２０８は、コマンドおよびパスワード照合部２０６からコマンド実行指示を受けると、該当コマンドを実行する。
【００４１】
図５は、図２に示したネットワーク装置２０の上記動作をフローチャートで示したものである。
【００４２】
ネットワーク装置２０は、電子メールをメール受信部２０１で受信すると（ステップ５０１）、まず、この電子メールのヘッダに記載された送信元メールアドレスをメール解析部２０２で抽出して（ステップ５０２）、この送信元メールアドレスが受付許可アドレスか、すなわち、受付許可メールアドレス記憶部２０３に記憶されているメールアドレスかをメールアドレス照合部２０５で調べる（ステップ５０３）。
【００４３】
ここで、送信元メールアドレスが受付許可アドレスであると判断されると（ステップ５０３でＹＥＳ）、次に、この電子メールの本文に記載されたコマンドおよびパスワードをメール解析部２０２で抽出して（ステップ５０４）、このコマンドは、「コマンド１」かをコマンドおよびパスワード照合部２０６で調べる（ステップ５０５）。ここで、「コマンド１」であると（ステップ５０５でＹＥＳ）、次に、このパスワードが一致するか、すなわち、パスワード記憶部２０４に記憶されている「コマンド１」に対応するパスワードと一致するかをコマンドおよびパスワード照合部２０６で調べる（ステップ５０６）。
【００４４】
ここで、パスワードが一致すると判断されると（ステップ５０６でＹＥＳ）、このコマンド１の実行指示をコマンド実行部２０８に渡してコマンド１を実行し（ステップ５０７）、この処理を終了する。
【００４５】
また、ステップ５０５で、電子メールの本文に記載されたコマンドが「コマンド１」でない場合は、次に、このコマンドが「コマンド２」かを調べる（ステップ５０８）。ここで、「コマンド２」であると（ステップ５０８でＹＥＳ）、次に、パスワードが一致するかを調べ（ステップ５０９）、パスワードが一致すると判断されると（ステップ５０９でＹＥＳ）、このコマンド２を実行し（ステップ５１０）、この処理を終了する。
【００４６】
以下、同様にして、ステップ５１１で「コマンドＮ」と判断されると（ステップ５１１でＹＥＳ）、次に、パスワードが一致するかを調べ（ステップ５１２）、パスワードが一致すると判断されると（ステップ５１２でＹＥＳ）、このコマンドＮを実行し（ステップ５１３）、この処理を終了する。
【００４７】
しかし、ステップ５０３で、受付許可メールアドレスではないと判断さえた場合（ステップ５０３でＮＯ）若しくはステップ５０６でパスワードが一致しないと判断された場合（ステップ５０６でＮＯ）若しくはステップ５０９でパスワードが一致しないと判断された場合（ステップ５０９でＮＯ）若しくはステップ５１２でパスワードが一致しないと判断された場合（ステップ５１２でＮＯ）若しくはステップ５１１で「コマンドＮ」でないと判断された場合（ステップ５１１でＮＯ）は、当該電子メールを破棄し（ステップ５１４）、この処理を終了する。
【００４８】
すなわち、この実施例においては、まず、送信元メールアドレスが受付許可メールアドレスではないと判断された場合は、この時点で当該電子メールは破棄され、また、たとえ、送信元メールアドレスが受付許可メールアドレスであると判断された場合でも、パスワードがパスワード記憶部２０４に記憶されたコマンドと一致しない場合若しくはパスワードと一致しない場合は、当該電子メールは破棄されるので、例えば、送信元メールアドレスを詐称した場合でも確実に不正なコマンド実行を防止することができる。
【００４９】
図６は、図１に示したネットワークシステムにこの発明を適用した場合の具体的動作例を説明する図である。
【００５０】
図６においては、ネットワーク装置２０ネットワーク装置２０に、受付許可メールアドレスとして「client1@aaa.net」および「client2@aaa.net」が記憶され、パスワードとしてコマンド「#set」に対して「pass1」、コマンド「#get」に対して「pass2」、コマンド「#reset」に対して「pass3」が記憶されているとする。
【００５１】
この場合、クライアント端末（クライアント１）１０−１から送信元メールアドレス「client1@aaa.net」、メール本文にコマンド「#reset」、パスワード「pass3」が記述された電子メールがネットワーク装置２０に送られ、また、クライアント端末（クライアント２）１０−２から送信元メールアドレス「client2@aaa.net」、メール本文にコマンド「#setIP192.168.1.100」、パスワード「pass2」が記述された電子メールがネットワーク装置２０に送られ、また、クライアント端末（クライアント３）１０−３から送信元メールアドレス「client3@aaa.net」、メール本文にコマンド「#getIP」、パスワード「pass2
」が記述された電子メールがネットワーク装置２０に送られ、また、クライアント端末（クライアント４）から送信元メールアドレス「client1@aaa.net」、メール本文にコマンド「#reset」、パスワード「passX」が記述された電子メールがネットワーク装置２０に送られたとする。
【００５２】
この場合、クライアント端末（クライアント１）１０−１から送信された電子メールは、送信元メールアドレスが受付許可アドレス「client1@aaa.net」であり、コマンド「#set」およびパスワード「pass1」もネットワーク装置２０に記憶されているものと一致するので、このコマンド「#set」は、ネットワーク装置２０で実行される。
【００５３】
しかし、クライアント端末（クライアント２）１０−２から送信された電子メールは、送信元メールアドレスが受付許可アドレス「client2@aaa.net」に一致するが、パスワード「pass2」が一致しないので、この電子メールは破棄され、このコマンド「#setIP192.168.1.100」は、ネットワーク装置２０で実行されない。
【００５４】
また、クライアント端末（クライアント３）１０−３からから送信された電子メールは、送信元メールアドレスが受付許可アドレスに一致しないので、この電子メールは破棄され、コマンド「#getIP」は、ネットワーク装置２０で実行されない。
【００５５】
クライアント端末（クライアント４）から送信された電子メールは、送信元メールアドレスを「client1@aaa.net」と詐称しているので、受け付けられるが、パスワード「passX」がネットワーク装置２０に記憶されたのものと一致ないので、この電子メールも破棄され、コマンド「#reset」は、ネットワーク装置２０で実行されない。
【００５６】
また、電子メールの本文中にネットワーク装置２０で実行したいコマンドを複数記載してもよい。例えば、電子メールの本文中にコマンド「#set」とパスワード「pass1」の組合せと、コマンド「#get」とパスワード「pass2」の組合せを記載した場合、それぞれのパスワードが対応するコマンドに一致していれば、両コマンドはネットワーク装置２０で実行される。さらに、複数コマンドの内、一部のコマンドとパスワードの組合せは一致しているが、その他のコマンドとパスワードの組合せが一致していない場合には、一致しているコマンドのみがネットワーク装置２０で実行され、一致していないコマンドはネットワーク装置２０で実行されない。この場合、ネットワーク装置２０で実行されなかったコマンドについては、クライアントに実行できなかった旨や実行できなかったコマンドについて返信するようにしてもよい。
【００５７】
なお、上記実施例では、コマンドおよびパスワードを電子メールのメール本文に記述するように構成したが、電子メールのヘッダのユーザが書込み可能な領域に記述するように構成してもよい。
【産業上の利用可能性】
【００５８】
この発明は、クライアント端末からネットワークに接続されたネットワーク装置に対して所定のコマンドを含む電子メールを送信し、前記ネットワーク装置は前記電子メールの受信により該電子メールに含まれるコマンドを実行する種々のネットワーク通信装置に適用可能である。この発明によれば、電子メールの送信元メールアドレスが該ネットワーク装置に予め記憶されたメールアドレスと一致しない場合は当該電子メールの受付を拒否し、コマンドおよびパスワードが該ネットワーク装置に予め記憶されたコマンドおよび該コマンドに対応するパスワードと一致しない場合は、当該コマンドの実行を拒否するように構成したので、コマンド実行に関してメールアドレスとパスワードとで二重にセキュリテイが保護され、セキュリティの強化が図れる。
【図面の簡単な説明】
【００５９】
【図１】この発明に係るネットワーク通信装置が適用されるネットワークシステムの一例を示すブロック図である。
【図２】図１に示したネットワーク装置２０のセキュリティ保護に関する構成を示すブロック図である。
【図３】クライアント端末から送信される電子メールの一例を示す図である。
【図４】図２に示した受付許可メールアドレス記憶部に記憶される受付許可メールアドレスおよびパスワード記憶部に記憶されるコマンドおよびパスワードの一例を示す図である。
【図５】図２に示したネットワーク装置の動作を示すフローチャートである。
【図６】図１に示したネットワークシステムにこの発明を適用した場合の具体的動作例を説明する図である。
【符号の説明】
【００６０】
１０−１、１０−２、１０−３、１０−４、・・・    クライアント端末（クライアント１、クライアント２、クライアント３、クライアント４、・・・）
２０    ネットワーク装置
３０    メールサーバ
１００    ネットワーク
２０１    メール受信部
２０２    メール解析部
２０３    受付許可メールアドレス記憶部
２０４    パスワード記憶部
２０５    メールアドレス照合部
２０６    コマンドおよびパスワード照合部
２０７    メール破棄処理部
２０８    コマンド実行部
【図１】
2006155025.tif 000003
【図２】
2006155025.tif 000004
【図３】
2006155025.tif 000005
【図４】
2006155025.tif 000006
【図５】
2006155025.tif 000007
【図６】
2006155025.tif 000008